(57)【要約】【課題】走行機体の機側に形成されるステップの側方上方に設置される肥料タンクに、供給口の閉鎖及び開放を迅速に行い、肥料の供給作業をスムーズに行うことができる施肥機における肥料タンクの蓋構造を提供する。【解決手段】走行機体４の機側に形成される移動用のステップ１６，（１７）の側方上方に肥料タンク２を取付支持し、該肥料タンク２の上壁面２７に開口形成される肥料の供給口２５を蓋２６によって開閉可能に閉鎖する施肥機１において、前記蓋２６を供給口２５の後側に設けた回動支持部３１を支点に回動可能に支持すると共に、蓋２６の前側を供給口２５の前側に設けたロック機構３２によって開閉可能に閉鎖し、ステップ１６，（１７）の前側から蓋２６を後方に向けて開放させた供給口２５に肥料を供給可能に構成した。【選択図】図４
2005198622.tif 000002
【特許請求の範囲】
【請求項１】
走行機体（４）の機側に形成される移動用のステップ（１６），（１７）の側方上方に肥料タンク（２）を取付支持し、該肥料タンク（２）の上壁面（２７）に開口形成される肥料の供給口（２５）を蓋（２６）によって開閉可能に閉鎖する施肥機（１）において、前記蓋（２６）を供給口（２５）の後側に設けた回動支持部（３１）を支点に回動可能に支持すると共に、蓋（２６）の前側を供給口（２５）の前側に設けたロック機構（３２）によって開閉可能に閉鎖し、ステップ（１６），（１７）の前側から蓋（２６）を後方に向けて開放させた供給口（２５）に肥料を供給可能に構成した施肥機における肥料タンクの蓋構造。
【請求項２】
前記供給口（２５）を供給筒部で形成し、蓋（２６）の裏側に弾力性を有するパッキン（５０）を貼着し、該パッキン（５０）を供給口（２５）に押接し、該パッキン（５０）の弾力性に抗しロック機構（３２）によって蓋（２６）を閉鎖固定する請求項１記載の施肥機。
【発明の詳細な説明】
【技術分野】
【０００１】
本発明は、苗の植付けと同時に施肥を行う移植機の肥料タンク等に用いることができる施肥機における肥料タンクの蓋構造に関する。
【背景技術】
【０００２】
従来、走行機体の後方に苗載台から掻き取った苗を圃場面に植え付ける植付装置と、操縦部の上方一側にペースト状の肥料を収容した肥料タンクを設置し、この肥料タンクから繰り出した肥料を施肥ノズルから地中施肥する施肥装置を併設し、苗の植付けと同時に施肥を行う乗用型の移植機が、施肥機の一例として特許文献１で示されるように既に公知である。
【０００３】
また上記のものと同様な乗用型の移植機で、走行機体の前部に設置される肥料タンクの肥料供給口に対し、肥料を供給する度に脱着開閉させるネジ締め式の蓋の代わりに、ノズルガイドを設けたキャップで閉鎖し、該キャップを外すことなくノズルガイドを介して肥料の供給を行うものが、特許文献２で示されるように公知である。
【０００４】
【特許文献１】特開平８−８４５１８号公報（第２ページ，図１）
【特許文献２】特開２００３−３８０１１号公報（第３ページ，図４）
【発明の開示】
【発明が解決しようとする課題】
【０００５】
上記特許文献１で示される移植機は、肥料タンクが走行機体の中央部に位置する操縦部の一側上方に設置され、その供給口に設ける蓋はネジ締め式の蓋構造にしているので、肥料を供給するとき、蓋を開方向に回して外し肥料供給口を開放する操作が必要であり、そのうち重い肥料補給タンクをデッキ部から高い位置に持ち上げながら不安定姿勢で傾けて供給する等、非能率な供給作業を強いられると共に、外した蓋が散逸し易いこと及び再閉鎖が煩雑である等の欠点がある。
【０００６】
また特許文献２で示される肥料タンクは、供給口にキャップを外すことなくノズルガイドから肥料の供給を簡単に行うことができる利点はあるが、ノズルガイドを利用しないで通常の蓋を開閉させ肥料補給タンクから直接的に肥料を供給したい場合に、ノズルガイド付きのキャップとは別個の蓋を準備しなけねばならないこと、及びこの蓋の保管や開閉操作に煩雑さを伴う等の問題がある。
【課題を解決するための手段】
【０００７】
上記課題を解決するために本発明の施肥機における肥料タンクの蓋構造は、第１に、走行機体４の機側に形成される移動用のステップ１６，（１７）の側方上方に肥料タンク２を取付支持し、該肥料タンク２の上壁面２７に開口形成される肥料の供給口２５を蓋２６によって開閉可能に閉鎖する施肥機１において、前記蓋２６を供給口２５の後側に設けた回動支持部３１を支点に回動可能に支持すると共に、蓋２６の前側を供給口２５の前側に設けたロック機構３２によって開閉可能に閉鎖し、ステップ１６，（１７）の前側から蓋２６を後方に向けて開放させた供給口２５に肥料を供給可能に構成したことを特徴としている。
【０００８】
第２に、前記供給口２５を供給筒部で形成し、蓋２６の裏側に弾力性を有するパッキン５０を貼着し、該パッキン５０を供給口２５に押接し、該パッキン５０の弾力性に抗しロック機構３２によって蓋２６を閉鎖固定することを特徴としている。
【発明の効果】
【０００９】
以上のように本発明によれば、走行機体の機側に形成される前側のステップ又は後側のステップの側方上方に設置される肥料タンクには、供給口の蓋が後側に設けた回動支持部を支点に回動可能に支持され、供給口の前側に設けたロック機構によって開閉可能に閉鎖固定されるので、供給口の閉鎖及び開放を迅速に行うことができると共に、肥料の供給作業を蓋に支障されることなく、ステップ側から能率よくスムーズに行うことができる。
【００１０】
また弾力性を有するパッキンを裏側に貼着した蓋は、閉鎖時に供給口を形成する供給筒部で押圧され圧縮されるので、その弾力性に抗して変形し供給筒部を機密に閉じることができる。
【発明を実施するための最良の形態】
【００１１】
本発明の一実施形態を図面に基づいて説明する。図１において符号１は、肥料タンク２に収容したペースト状の肥料を繰り出して施肥する施肥機の一例として、苗の植付けと同時に地中施肥を行う乗用型の移植機を示す。
この移植機１は、前輪３及び後輪３ａを備えた走行機体４に、前部にエンジンＥをボンネット５で覆って搭載し、その後方に操縦部６を配置し、腹部に該エンジンＥから駆動されるトランスミッション７と施肥ポンプ８を備え、機体後部に油圧作動される昇降リンク機構９を介して植付装置１０を昇降可能に支持している。
【００１２】
操縦部６は、走行機体４の中間部にフラット状に形成されるデッキ部１１と、該デッキ部１１の前後に配置されるハンドル１２と座席１３とからなり、該座席１３はデッキ部１１の後方中央部に立設した座席フレーム１５の上部に設置される。
このデッキ部１１は前後に、ボンネット５と座席フレーム１５の両外側に沿って、それぞれ歩行移動可能なフラット面で形成される、前側のステップ１６と後側のステップ１７を従来のものと同様な構成によって接続している。
【００１３】
次に植付装置１０について説明する。この植付装置１０は、８条分のマット苗を載置する苗載台１９と、苗載台１９から苗を掻き取って植付ける各植付爪２０，２０・・と、植付時に接地させる複数のフロート２１等から構成される。
そして、各フロート２１は後述する施肥装置２ａが備える複数の施肥ノズル２２を下向きに取付支持し、各施肥ノズル２２から対応する各植付爪２０の側方の地中に、肥料タンク２から繰り出される肥料を地中の所定深さ位置に施肥する構成としている。
【００１４】
上記移植機１に併設される施肥装置２ａは、走行機体４の前側で機側に沿って形成されるステップ１６，１６の外側に、従来のものと同様な構成によって取付支持された肥料タンク２，２と、該肥料タンク２，２に通じ収容された肥料を繰り出して圧送する施肥ポンプ８と、該施肥ポンプ８から各肥料分配管２３を介して繰り出し供給される肥料を地中に施肥する施肥ノズル２２，２２・・等から構成される。
【００１５】
この施肥装置２ａの肥料タンク２は、その上面に開口形成された肥料の供給口２５に蓋２６を本発明の蓋構造によってワンタッチ開閉可能に設けている。これにより肥料タンク２に対する肥料の供給を畦際から簡単且つ能率よく行うようにしていると共に、従来のものと同様なプラスチック材をブロー成形する加工型等を大きく変更することなく製造できるようにしている。
【００１６】
尚、この肥料タンク２の供給口２５は、口径及び口筒高さを従来のものと同サイズでタンク本体の上壁面２７から一体的な筒部（以下供給筒部と言う）状に突設し、且つこの供給口２５の供給筒部の外周面の一部に後述する肥料供給補助具６０を着脱可能に装着するネジ部となる突起２９を形成している。
また上記供給筒部の内周面の上部には、肥料供給補助具６０の濾過網６１を嵌挿支持する網受部２５ａを段部状に形成している。
【００１７】
次に、肥料タンクの蓋構造について図３，図４を参照し説明する。この蓋構造は供給口２５で形成される肥料供給口（筒端）を押接し開閉可能に覆う蓋２６と、該蓋２６を上壁面２７に開閉回動可能に取付支持する取付座３０と、蓋２６と取付座３０間で供給口２５の後側と前側に構成される回動支持部３１とロック機構３２とからなる。
【００１８】
図示例では肥料タンク２の上壁面２７に形成される肉厚の取付部に対し、ロック機構３２の係止部３３を立設した取付座３０の前側を、ボルト等の複数の取付具３５を介して着脱可能に取付固定される。また取付座３０の後端部は蓋２６の後端部に設けた回動支持部３１の取付片３６を重ね取付具３５によって取付固定される。これにより方形状に形成される取付座３０は供給口２５の外周を囲繞する。
【００１９】
一方、蓋２６はステンレス材或いはプラスチック材からなる蓋板３７の両側及び前側を下方に屈曲形成し、該蓋板３７の裏面に可撓性及び弾力性を有するスポンジ状板部材からなるパッキン５０を貼着している。このパッキン５０は厚さを略２０ミリ程度とし、外径を供給口２５の供給筒部の直径より２０ミリ程度大きくした円盤状としている。
【００２０】
そして、蓋板３７はその後端部に回動軸部５１を介し前記取付片３６を枢支しており、且つ前記係止部３３，３３の係合孔に係脱可能に各係合する係合片５２，５２を、蓋板３７の前端両側のコーナー部に支持軸５３を介し回動可能に枢支している。また係合片５２はその上部に操作片（摘まみ片）５５を一体的に形成している。尚、上記のように構成されるロック機構３２は市販のものを利用することが望ましい。
【００２１】
以上のように、走行機体４の機側に形成され操縦部６のデッキ部１１に通ずる前側のステップ１６の側方上方に設置される肥料タンク２は、供給口２５の蓋２６が後側に設けた回動支持部３１を支点に回動可能に支持され、供給口２５の前側に設けたロック機構３２によって開閉可能に閉鎖固定されるので、肥料を肥料タンク２に収容した状態で、図４の点線で示す蓋２６を開放状態から実線の閉鎖状態にすることができる。
【００２２】
この閉鎖状態で蓋２６を押動すると、ロック機構３２の係合片５２が図示しないスプリングの付勢力によって取付座３０側の係止部３３に自動的に係合係止すると共に、蓋板３７に貼着したパッキン５０は供給口２５の供給筒部端で押圧されリング状の筒端形状に沿って圧縮されるので、その弾力性に抗し同図の実線で示すように変形した状態で供給口２５を機密に閉じることができる。
【００２３】
また、移植機１による植え付け同時施肥作業が行われ、肥料タンク２内の肥料が少なくなりその供給（補給）を行うとき、作業者は移植機１を畦際まで運転移動し機体前部の肥料タンク２を畦に近接させる。この状態で機体から降りた作業者又は畦側で待機する補助作業者により、ロック機構３２が解除され蓋２６が回動支持部３１を支点に上方に開動させると、蓋２６は図１の実線で示すように回動支持部３１から後方に向かう開放姿勢となり、供給口２５の上方を大きく開けることができる。
【００２４】
次いで、作業者は肥料補給タンクを運んで畦側からステップ１６に足を載せかけるか、上がった状態で肥料タンク２の前側に接近した安定姿勢で、肥料補給タンクから供給口２５内に肥料を供給することができる。
【００２５】
従って、肥料タンク２の前側から肥料を供給口２５内に供給するとき、後方に開動している蓋２６が供給作業を支障することがなく、また蓋２６は従来のもののように外すことなく肥料タンク２に常設されるので、蓋閉じ作業も前記蓋開け作業の逆順の動作によって簡単且つ速やかに行うことができる。
【００２６】
尚、肥料タンク２が後側のステップ１７の外側上方に設置される施肥機１の場合には、作業者はデッキ部１１からステップ１７に移動して開放された供給口２５に対し、前記のものと同様に肥料の供給を簡単に行うことができる。
【００２７】
さらに、上記のように構成された蓋構造を備える肥料タンク２は、蓋２６を後方に大きく開動した状態において、供給口２５に前記特許文献１で示される様なノズルガイドを設けた蓋構造（以下肥料供給補助具と言う）６０を簡単に装着することができる。
【００２８】
即ち、この肥料供給補助具６０は、畦側に待機している図示しない肥料供給機の供給ホースと接続されるノズルガイド６２を備えたキャップ６３の裏側の周囲に椀形状の濾過網６１の上部を一体的に取着し、該キャップ６３の外周面となる鍔部を前記供給口２５に形成した網受部２５ａに遊動可能に嵌挿し支持させる。
【００２９】
次いで、キャップ６３の上方からリング型の螺着部材６５を嵌めて供給口２５に外嵌させ、該供給口２５の外周面に形成した突起２９に係合させ締め付け固定をすることにより、キャップ６３の回動を自由にしながら上方への抜け止めを行う構成としている。これにより肥料タンク２はノズルガイド６２に供給ホースを接続した状態で、肥料供給機から肥料をスムーズに供給することができる。
【００３０】
また肥料供給補助具６０を必要としない場合にはこれを外すと、供給口２５を常設している蓋２６によって即座に閉鎖することができる。
尚、同図において符号６６はノズルガイド６２の口部を開閉させる口栓であり、６７は肥料レベルを検知する浮き子６９を有した肥料レベレルマーカである。
【産業上の利用可能性】
【００３１】
この発明は、ペースト状の肥料等を収容して施肥する施肥機や、苗の植付けと同時に施肥を行う移植機に備えられる肥料タンクの蓋構造に好適に利用することができる。
【図面の簡単な説明】
【００３２】
【図１】本発明を備えた移植機の側面図であり、蓋を回動した肥料供給状態を示す。
【図２】図１の移植機及び蓋の構成を示す要部の平面図である。
【図３】肥料タンクの蓋構造を示す平面図である。
【図４】図３の蓋構造を示す側断面図である。
【図５】肥料タンクに肥料供給補助具を取付けた状態を示す側断面図である。
【図６】肥料供給補助具の構成を示す平面図である。
【符号の説明】
【００３３】
１    移植機（施肥機）
２    肥料タンク
２ａ  施肥装置
４    走行機体
６    操縦部
１０  植付装置
１６，１７  ステップ
２５  供給口
２６  蓋
２７  上壁面
３１  回動支持部
３２  ロック機構
５０  パッキン
【図１】
2005198622.tif 000003
【図２】
2005198622.tif 000004
【図３】
2005198622.tif 000005
【図４】
2005198622.tif 000006
【図５】
2005198622.tif 000007
【図６】
2005198622.tif 000008